(57)【要約】      （修正有）【課題】撮影などにより得られた画像を共有するための小型かつ軽量な撮像装置およびプロジェクタユニットを提供する。【解決手段】撮像装置１０は、撮像装置筐体内に画像生成部１１と撮像素子１５、半透過ミラー１３を持ち、カメラモードとプロジェクタモードで動作する。プロジェクタモードでは半透過ミラー１３は画像生成部１１から出射される光の少なくとも一部を反射して筺体１００の外部へ向けて出射させる。撮像素子１５はカメラモードにおいて、外部から入射する光のうち、半透過ミラー１３を透過した光を受光して画像データを生成する。【選択図】図１
2013231747.tif 000002
【特許請求の範囲】
【請求項１】
画像生成部と、
前記画像生成部から出射される光の少なくとも一部を反射して筺体の外部へ向けて出射させる半透過ミラーと、
前記筺体の外部から入射する光のうち、前記半透過ミラーを透過した光を受光する撮像素子と
を備える撮像装置。
【請求項２】
１以上のレンズを備えるとともに、前記筺体に対する接続および分離が自在とされるレンズユニットをさらに備え、
前記筺体に対して前記レンズユニットが接続されたときに、前記レンズユニット、前記半透過ミラーおよび前記撮像素子が、ほぼ一列に配置される請求項１に記載の撮像装置。
【請求項３】
画像生成装置に対する接続および分離が自在とされる連結部と、
前記画像生成装置から出射される光の少なくとも一部を反射して筺体の外部へ向けて出射させる半透過ミラーと、
前記筺体の外部から入射する光のうち、前記半透過ミラーを透過した光を受光する撮像素子と
を備える撮像装置。
【請求項４】
表示部をさらに備え、
前記連結部に対して前記画像生成装置が接続されたときに、前記表示部に表示される画像が、撮像を無効とするか否かをユーザに選択させるための画像に遷移される請求項３に記載の撮像装置。
【請求項５】
電源が切られることなく、被写体に関する画像データの取得と、前記連結部に対する前記画像生成装置の接続とが行われたときに、
前記表示部に表示される画像が、撮像を無効とするか否かをユーザに選択させるための画像に遷移される請求項４に記載の撮像装置。
【請求項６】
制御部をさらに備え、
前記連結部に対して前記画像生成装置が接続されたときに、前記制御部が、前記画像生成装置に対する画像データの転送を開始する請求項３に記載の撮像装置。
【請求項７】
撮像素子を備える本体部と、
１以上のレンズを備え、前記本体部に対する接続および分離が自在とされるレンズユニットと
を備え、
前記本体部と前記レンズユニットとの間への、半透過ミラーを備える画像生成装置の接続および分離が自在とされ、
前記本体部と前記レンズユニットとの間に前記画像生成装置が介在された状態において、前記レンズユニット、前記半透過ミラーおよび前記撮像素子が、ほぼ一列に配置される撮像装置。
【請求項８】
第１の連結部および第２の連結部を備える筺体と、
前記第１の連結部と前記第２の連結部との間に配置された半透過ミラーと、
画像生成部と
を備え、
前記画像生成部から出射される光のうち、前記半透過ミラーに反射された光が、前記第１の連結部および前記第２の連結部のうちのいずれかを介して外部に向けて出射されるプロジェクタユニット。
【請求項９】
前記第１の連結部および前記第２の連結部が、相異なる規格に対応した接続機構をそれぞれ備える請求項８に記載のプロジェクタユニット。
【発明の詳細な説明】
【技術分野】
【０００１】
本開示は、撮像装置およびプロジェクタユニットに関する。本開示は、特に、記録された画像を投射できる撮像装置に関する。
【背景技術】
【０００２】
近年、デジタルカメラが広く普及している。デジタルカメラは、画像データを表示部などに表示させることができるため、デジタルカメラには、撮影により得られた画像をユーザがすぐに確認できるという特長がある。
【０００３】
ところで、撮影により得られた画像を多くの仲間と共有したいというニーズが存在する。例えば、ユーザが仲間や家族とともに記念撮影をしたときなど、１つの画像を多人数で確認したい場合がある。
【０００４】
撮影により得られた画像を仲間や家族とともに観賞する方法の一例として、プロジェクタによる投射が挙げられる。なお、下記の特許文献１には、デジタルカメラを内蔵するとともに、液晶プロジェクタ投写用レンズとデジタルカメラ用レンズとが共用とされたプロジェクタ装置が開示されている。
【先行技術文献】
【特許文献】
【０００５】
【特許文献１】特開２００４−２５２１１８号公報
【発明の概要】
【発明が解決しようとする課題】
【０００６】
撮影などにより得られた画像を共有するための簡易な手段の提供が望まれている。
【課題を解決するための手段】
【０００７】
本開示の第１の好ましい実施態様は、
撮像装置が、画像生成部と、半透過ミラーと、撮像素子とを備える。
半透過ミラーは、画像生成部から出射される光の少なくとも一部を反射して筺体の外部へ向けて出射させる。
撮像素子は、筺体の外部から入射する光のうち、半透過ミラーを透過した光を受光する。
【０００８】
本開示の第２の好ましい実施態様は、
撮像装置が、連結部と、半透過ミラーと、撮像素子とを備える。
連結部は、画像生成装置に対する接続および分離が自在とされる。
半透過ミラーは、画像生成装置から出射される光の少なくとも一部を反射して筺体の外部へ向けて出射させる。
撮像素子は、筺体の外部から入射する光のうち、半透過ミラーを透過した光を受光する。
【０００９】
本開示の第３の好ましい実施態様は、
撮像装置が、本体部と、レンズユニットとを備える。
本体部は、撮像素子を備える。
レンズユニットは、１以上のレンズを備え、本体部に対する接続および分離が自在とされる。
本体部とレンズユニットとの間への、半透過ミラーを備える画像生成装置の接続および分離が自在とされる。
本体部とレンズユニットとの間に画像生成装置が介在された状態において、レンズユニット、半透過ミラーおよび撮像素子が、ほぼ一列に配置される。
【００１０】
本開示の第４の好ましい実施態様は、
プロジェクタユニットが、筺体と、半透過ミラーと、画像生成部とを備える。
筺体は、第１の連結部および第２の連結部を備える。
半透過ミラーは、第１の連結部と第２の連結部との間に配置される。
画像生成部から出射される光のうち、半透過ミラーに反射された光が、第１の連結部および第２の連結部のうちのいずれかを介して外部に向けて出射される。
【００１１】
なお、本明細書中では、「光路」の語を、光の走る距離と屈折率との積ではなく光の進行する経路の意味で用いることとする。また、本明細書中では、光の走る距離と屈折率との積に対して「光路長」の語を使用する。
【発明の効果】
【００１２】
少なくとも１つの実施例によれば、撮影により得られた画像を共有するための簡易な手段を提供することができる。
【図面の簡単な説明】
【００１３】
【図１】図１は、第１の実施形態にかかる撮像装置の構成例を示す概略図である。
【図２】図２は、第１の実施形態にかかる撮像装置の構成例を示す機能ブロック図である。
【図３】図３は、第１の実施形態にかかる撮像装置の光学系の構成例を示す概略図である。
【図４】図４Ａは、半透過ミラーの断面の一例を示す模式図である。図４Ｂおよび図４Ｃは、半透過ミラーの反りが、半透過ミラーにより反射された光の進行方向に対して与える影響を示す概略図である。
【図５】図５は、本開示の撮像装置におけるモード切り替え処理の一例を示すフローチャートである。
【図６】図６Ａは、第２の実施形態にかかる撮像装置の構成例を示す概略図である。図６Ｂは、図６Ａに示す撮像装置にプロジェクタユニットが接続された状態を示す概略図である。
【図７】図７Ａは、図６Ｂに示すプロジェクタユニットの構成例を示す概略図である。図７Ｂは、プロジェクタユニットの他の構成例を示す概略図である。
【図８】図８は、第２の実施形態にかかる撮像装置における処理の一例を示すフローチャートである。
【図９】図９は、撮像装置がプロジェクタモードに切り替えられてもよいかをユーザに確認させるための画面の一例を示す画像図である。
【図１０】図１０Ａは、第３の実施形態にかかる撮像装置の構成例を示す概略図である。図１０Ｂは、撮像装置の本体部とレンズユニットとの間にプロジェクタユニットが装着された状態を示す概略図である。
【図１１】図１１Ａは、レンズユニット、プロジェクタユニットおよび本体部を分離して示す斜視図である。図１１Ｂは、本体部とレンズユニットとの間に接続されるプロジェクタユニットの構成例を示す概略図である。
【発明を実施するための形態】
【００１４】
以下、撮像装置およびプロジェクタユニットの実施形態について説明する。説明は、以下の順序で行う。
１．第１の実施形態
１−１．撮像装置の概略的構成
１−１−１．本体部
１−１−２．レンズユニット
１−２．撮像装置における光学系
１−２−１．半透過ミラー
１−３．撮像装置における処理の一例
１−４．効果
２．第２の実施形態
２−１．撮像装置の概略的構成
２−１−１．連結部
２−１−２．プロジェクタユニット
２−２．撮像装置における処理の一例
２−３．効果
３．第３の実施形態
３−１．撮像装置の概略的構成
３−１−１．撮像装置
３−１−２．プロジェクタユニット
３−２．プロジェクタユニットの接続された撮像装置
３−２−１．第１および第２の連結部の規格
３−３．撮像装置における制御の一例
３−４．効果
４．変形例
【００１５】
以下の説明により明らかとなるように、本開示では、撮影において使用される、レンズユニットに配置される１以上のレンズと、固定の半透過ミラーとが、投射の場合においても使用される。したがって、本開示によれば、１の結像光学系を介しての撮影および投射が実現され、プロジェクタとしても使用できる小型かつ軽量な撮像装置を実現することができる。
【００１６】
なお、以下に説明する実施形態は、撮像装置およびプロジェクタユニットの好適な具体例である。以下の説明においては、技術的に好ましい種々の限定が付されているが、特に本開示を限定する旨の記載がない限り、撮像装置およびプロジェクタユニットの例は、以下に示す実施形態に限定されないものとする。
【００１７】
＜１．第１の実施形態＞
［１−１．撮像装置の概略的構成］
図１は、第１の実施形態にかかる撮像装置の構成例を示す概略図である。図１は、第１の実施形態にかかる撮像装置を右側面から見た図に対応する。
【００１８】
図１に示すように、撮像装置１０は、画像生成部１１と、半透過ミラー１３と、撮像素子１５とを備える。第１の実施形態にかかる撮像装置は、具体的には、いわゆるペリクルミラー搭載型のデジタルカメラである。
【００１９】
図１に示すように、撮像装置１０は、例えば、本体部１０Ｂと、レンズユニット１０Ｒとから構成される。なお、図１においては、シャッタ機構などの図示を省略している。以下の説明においても、同様とする。
【００２０】
（１−１−１．本体部）
本体部１０Ｂの筺体１００の内部には、画像生成部１１と、半透過ミラー１３と、撮像素子１５とが配置される。
【００２１】
画像生成部１１は、撮影などにより得られた画像データから、スクリーンや壁面の上で再生するための投射用画像を生成する。画像生成部の構成の詳細については後述する。
【００２２】
半透過ミラー１３は、被写体に関する画像信号の取得時において、被写体光の少なくとも一部を反射させるとともに、残余の光を透過させる。また、半透過ミラー１３は、画像生成部１１から出射される光の少なくとも一部を反射して、反射させた光を筺体１００の外部へ向けて出射させる。半透過ミラー１３は、後述するレンズユニットを介して撮像装置の外部から入射する光（以下、被写体光と適宜称する。）の光軸ＯＡに対して傾けられるようにして筺体１００の内部に固定されている。半透過ミラーの構成の詳細については、後述する。
【００２３】
撮像素子１５は、半透過ミラー１３を介して入射する光を電気信号に変換する。すなわち、撮像素子１５は、被写体光のうち、半透過ミラー１３を透過した光を受光して、被写体に関する画像信号を出力する。
【００２４】
（１−１−２．レンズユニット）
レンズユニット１０Ｒは、例えば、本体部１０Ｂに対する接続および分離が自在とされる。レンズユニット１０Ｒが本体部１０Ｂに対して着脱自在とされる場合、ユーザは、撮影シーンなどに応じて、複数種類のレンズユニットから最適なレンズユニットを選択することができる。以下では、レンズユニット１０Ｒが本体部１０Ｂに対して着脱自在とされる場合について説明を行う。もちろん、本体部１０Ｂおよびレンズユニット１０Ｒが一体的に構成されていてもかまわない。
【００２５】
レンズユニット１０Ｒは、被写体に関する像を撮像素子１５の撮像面に結像させるための１以上のレンズ７３１を備えている。また、レンズユニット１０Ｒには、フォーカス調整のためのレンズ駆動機構７１や絞りの開きを調整するための絞り駆動機構などが配置される。
【００２６】
レンズユニット１０Ｒの鏡筒ＬＢの内部に配置されたレンズ駆動機構７１が１以上のレンズ７３１を移動させることにより、撮像装置１０におけるオートフォーカスが実行される。レンズ駆動機構７１を駆動させるためのアクチュエータは、本体部１０Ｂまたはレンズユニット１０Ｒに配置される。アクチュエータが本体部１０Ｂのみに配置される場合には、例えば、機械的な駆動力伝達機構により、１以上のレンズ７３１を移動させるための動力が、本体部１０Ｂからレンズユニット１０Ｒに伝達される。一方、アクチュエータがレンズユニット１０Ｒに配置されている場合には、レンズユニット１０Ｒと、本体部１０Ｂとの間に設けられた電気接点１０ｅを介して、レンズ駆動機構７１の駆動のための電力や制御信号が本体部１０Ｂの制御部１９からレンズ駆動機構７１に供給される。
【００２７】
なお、レンズユニット１０Ｒの鏡筒ＬＢには、必要に応じてフォーカス調整用のリングＲが設けられる。本開示の実施形態にかかる撮像装置のユーザ（以下、単にユーザと適宜称する。）は、該リングを回転させることによりレンズを移動させ、マニュアルフォーカスを行うことができる。
【００２８】
図２は、第１の実施形態にかかる撮像装置の構成例を示す機能ブロック図である。
【００２９】
結像光学系７３は、レンズユニット１０Ｒに配置される１以上のレンズ７３１や本体部１０Ｂに配置される半透過ミラー１３などから構成される。結像光学系７３は、被写体の撮影時に、被写体に関する像を撮像素子１５の撮像面に結像させる光学系の機能と、投射用画像の投射時に、投射用画像に関する像をスクリーンや壁面の上に形成する光学系の機能とを備える。
【００３０】
撮像部７５は、撮像素子１５を備える。撮像素子１５としては、例えば、ＣＭＯＳ（complementary metal-oxide semiconductor）やＣＣＤ（charge-coupled device）などが挙げられる。撮像素子１５は、光電変換により、被写体に関する画像信号を出力する。撮像部により取得された、被写体に関する画像信号は、後述する制御部１９に出力される。
【００３１】
操作部７７は、本体部１０Ｂの筺体１００に配置される機能ボタンの群やレリーズボタンなどの各種のボタンを含む。操作部７７は、撮像装置１０を操作するためのユーザインターフェースとして機能する。操作部７７が、リモートコントローラなどの外部制御装置を含んでいてもよい。
【００３２】
なお、操作部７７が十字キーを含むことが好ましい。例えば、照明の落とされた室内において、ユーザが手探りで入力操作を行うことができるからである。操作部７７の受けつけた、ユーザの入力操作に応じた操作信号は、後述する制御部１９に出力される。
【００３３】
制御部１９は、プロセッサやメモリなどを含む処理装置であり、制御部１９は、例えば、デジタルシグナルプロセッサ（Digital Signal Processor（ＤＳＰ））やＣＰＵ（central processing unit）として構成される。制御部１９は、撮像装置１０の各部を制御するとともに、例えば、操作部７７からの入力に応じた処理の結果を出力する。
【００３４】
各種の演算処理や、撮像装置１０の各部の制御を行うためのプログラムは、例えば、制御部１９に配置されるＲＡＭ（Random Access Memory）およびＲＯＭ（Read-Only Memory）や、制御部１９に接続される記憶部８１などに格納される。
【００３５】
制御部１９の画像処理部１９１は、撮像部７５から出力される、被写体に関する画像信号に対して所定の信号処理を行う。被写体に関する画像信号に対する信号処理としては、例えば、デジタルゲイン調整や、ガンマ補正、色補正、コントラスト補正などが挙げられる。
【００３６】
制御部１９の画像記録部１９３は、画像処理部１９１により信号処理の施された画像信号を、例えば、ＪＰＥＧ（Joint Photographic Experts Group）などの圧縮符号化方式により圧縮し、圧縮後のデータを生成する。画像記録部１９３の生成する画像データは、例えば、記憶部８１に格納される。
【００３７】
リーダ／ライタ７９は、記憶部８１へのデータの書き込みおよび記憶部８１からのデータの読み出しを行う補助装置であり、記憶部８１に対するインターフェースとして機能する。
【００３８】
記憶部８１は、例えば、撮像装置１０に対して着脱が自在とされる外部記憶装置８１１と、本体部１０Ｂの内部に固定される内部記憶装置８１３とを含んでいる。外部記憶装置８１１または内部記憶装置８１３に適用される記録媒体としては、例えば、ハードディスク、フラッシュメモリ、光ディスク、光磁気ディスク、ＭＲＡＭ（Magnetoresistive Random Access Memory：磁気抵抗メモリ）などが挙げられる。撮影により得られた画像データは、リーダ／ライタ７９を介して記憶部８１に保存される。画像データを、外部記憶装置８１１または内部記憶装置８１３のいずれに保存させるかは、例えば、ユーザが任意に設定可能とされている。
【００３９】
表示部１７は、例えば、液晶ディスプレイ（Liquid Crystal Display（ＬＣＤ））や有機ＥＬ(Electroluminescence:電界発光効果)ディスプレイなどの表示装置である。表示部１７には、撮像素子１５の光電変換の作用により得られた、被写体に関する画像や、ユーザからの入力に対する処理の結果が表示される。表示部１７は、撮像装置１０を操作するためのユーザインターフェースとしての機能を備えるタッチパネルとして構成されていてもよい。
【００４０】
画像生成部１１は、スクリーンや壁面の上で再生するための投射用画像を生成する。投射用画像は、記憶部８１に記録される画像データや、撮像装置１０に接続された外部機器やネットワークなどから供給される画像データをもとにして生成される。
【００４１】
画像生成部１１は、投射用画像を生成するために、１以上の光源１１５を備え、必要に応じて１以上のレンズ１１１をさらに備えている。画像生成部１１に使用される１以上の光源１１５としては、例えば、発光ダイオード（light-emitting diode（ＬＥＤ））やメタルハライドランプ、ハロゲンランプ、キセノンランプなどが挙げられる。
【００４２】
また、画像生成部１１は、必要に応じて、投射用画像を生成するための画像情報重畳部１１３を備えている。画像情報重畳部１１３は、例えば、１以上の液晶ディスプレイ（Liquid Crystal Display（ＬＣＤ））または「ＤＬＰ（テキサス  インスツルメンツ  インコーポレーテツドの登録商標）」チップと呼ばれる、微小なミラーの群が配置された光半導体を備えている。
【００４３】
例えば、１以上の光源１１５と、１以上のレンズ１１１との間に画像情報重畳部１１３を介在させることにより、１以上の光源１１５から出射される光に対して投射用画像に関する画像情報を重畳させることができる。すなわち、例えば、１以上の光源１１５から出射される光が、１以上の液晶ディスプレイや「ＤＬＰ（登録商標）」チップなどにより反射されることにより、投射用画像に関する画像情報が、１以上の光源１１５から出射される光に重畳される。または、例えば、１以上の光源１１５から出射される光が、１以上の液晶ディスプレイを通過することにより、投射用画像に関する画像情報が、１以上の光源１１５から出射される光に重畳される。
【００４４】
画像生成部１１が、例えば画素数に対応した数の微細な光源の群を備え、微細な光源の群により投射用画像が生成されてもかまわない。
【００４５】
画像生成部１１により生成されて出射される、投射用画像に関する光の少なくとも一部は、結像光学系７３の半透過ミラー１３により反射され、結像光学系７３の１以上のレンズ７３１を介して筺体１００の外部へ向けて出射される。筺体１００の外部に向けて出射された光が、例えば、スクリーン上に結像されることにより、ユーザは、投射用画像を観賞することができる。すなわち、本開示の実施形態にかかる撮像装置は、撮影の機能に加えて、プロジェクタとしての機能を備えている。
【００４６】
［１−２．撮像装置における光学系］
図３は、第１の実施形態にかかる撮像装置の光学系の構成例を示す概略図である。図３は、第１の実施形態にかかる撮像装置を右側面から見た図に対応する。
【００４７】
第１の実施形態では、半透過ミラー１３は、本体部１０Ｂの筺体１００の内部に固定される。このとき、半透過ミラー１３は、被写体光の光軸ＯＡに対して、例えば４５°程度傾けられて本体部１０Ｂの筺体１００に固定される。
【００４８】
図３に示すように、レンズユニット１０Ｒの１以上のレンズ７３１に対して、半透過ミラー１３の背面側に、撮像素子１５が配置される。言い換えれば、１以上のレンズ７３１、半透過ミラー１３および撮像素子１５が、被写体光の光軸ＯＡにそってほぼ一列に並んでいる。ここで、「ほぼ一列に並ぶ」とは、レンズユニットの１以上のレンズと、半透過ミラーとを通過した光が、撮像素子に入射しうるような配置を指す。したがって、１以上のレンズ７３１の中心、半透過ミラー１３の中心および撮像素子１５の中心が、必ずしも同一直線状に並んでいなくともよい。
【００４９】
画像生成部１１は、１以上のレンズ７３１を介して半透過ミラー１３に光が入射したと想定したときに、半透過ミラー１３により反射された光の進行する方向に配置される。すなわち、半透過ミラー１３が、被写体光の光軸ＯＡに対して、例えば４５°程度傾けられて本体部１０Ｂの筺体１００に固定されている場合、画像生成部１１、半透過ミラー１３および撮像素子１５を順に結ぶと、ほぼ直角となる。
【００５０】
図３に示すように、被写体の撮影時には、筺体１００の外部から入射する光が、１以上のレンズ７３１および半透過ミラー１３を順に介して撮像素子１５に入射する。
【００５１】
なお、被写体光のうち、半透過ミラー１３により反射された光は、必要に応じて筺体１００の内部に配置される光路切り替え器８３を介して、例えば、半透過ミラー１３の下方に配置されるオートフォーカスセンサ８５に導かれる。光路切り替え器８３は、例えば、エレクトロクロミック方式により透過と反射とが切り替えられる光機能素子や可動ミラーなどである。
【００５２】
したがって、ユーザは、被写体に関する画像信号の取得中においてもオートフォーカスを使用することができ、ユーザは、例えば、動く被写体に対しても常にピントを合わせながら撮影を行うことができる。オートフォーカスセンサ８５は、コントラスト検出方式のセンサであってもよいが、オートフォーカスセンサ８５としては、好適には、コントラスト検出方式と比較して高速な位相差検出方式のセンサが使用される。
【００５３】
一方、投射用画像の投射時には、光路切り替え器８３を介して、画像生成部１１から出射された光が半透過ミラー１３に入射する。なお、オートフォーカスセンサ８５に向かう光の光軸と、画像生成部１１から出射されて半透過ミラー１３に向かう光の光軸とが交わらないようにして、オートフォーカスセンサ８５および画像生成部１１が筺体１００の内部に配置される場合は、光路切り替え器８３を不要とすることができる。
【００５４】
半透過ミラー１３に入射した光は、半透過ミラー１３により反射され、１以上のレンズ７３１を介して撮像装置１０の外部へ向けて出射される。撮像装置１０の外部へ向けて出射された光は、例えば、スクリーン上で結像される。
【００５５】
このように、本開示では、撮影時の撮像素子への被写体光の入射および画像投射時の投射用画像に関する光の出射のいずれもが、レンズユニットの１以上のレンズを介して行われる。
【００５６】
撮像装置１０が、１以上のレンズ７３１の配置されたレンズユニット１０Ｒを備える場合、投射用画像の投射時において、レンズ駆動機構７１によるオートフォーカスや、ユーザによるマニュアルフォーカスが可能である。また、ユーザは、投射用画像の投射に適したレンズユニットを選択して、該レンズユニットを本体部１０Ｂに装着することもできる。
【００５７】
ユーザは、スクリーン上に映し出される投射用画像のピント合わせを、撮像装置１０に自動で実行させることもできる。例えば、被写体に関する画像データの記録時に、使用されたレンズユニット１０Ｒの種類およびフォーカスの距離を付加情報として画像データとともに記録させておく。撮影により得られた画像データの投射時には、例えば、撮影時におけるオートフォーカスと同様にして、スクリーンまでの距離を撮像装置１０に測定させる。さらに、スクリーンまでの距離と、現在本体部１０Ｂに装着されているレンズユニット１０Ｒの種類に関する情報とから、フォーカスの量を撮像装置に計算させる。計算により得られたフォーカスの量に基づいて、レンズユニット１０Ｒの１以上のレンズ７３１をレンズ駆動機構７１により駆動させることにより、スクリーン上に映し出される投射用画像のピント合わせが可能である。
【００５８】
このように、本開示によれば、ユーザは、スクリーンや壁面などに対して投射用画像を確実に映し出すことができる。
【００５９】
ところで、第１の実施形態では、上述したように、半透過ミラー１３が、本体部１０Ｂの筺体１００の内部に固定されている。そのため、撮像素子１５、画像生成部１１および半透過ミラー１３の配置は、例えば、以下の手順にしたがって調整される。
【００６０】
撮像装置の組み立てにおいては、まず、本体部１０Ｂの筺体１００の内部において、撮像装置の背面に近い側に撮像素子１５が配置される。このとき、撮像素子１５に対して６軸調整が施され、フランジバックＦＢが調整される。６軸調整は、ＸＹＺ直交座標系を想定したときのＸ、ＹおよびＺ方向への移動量ならびに、各軸に関する回転量に対する調整である。
【００６１】
次に、画像生成部１１が、筺体１００の内部の下方に配置され、撮像装置の前後方向（被写体光の光軸ＯＡにそった方向）に関する画像生成部１１の位置の調整が施される。
【００６２】
その後、半透過ミラー１３が筺体１００の内部に固定される。そして、本体部１０Ｂにおいてレンズユニット１０Ｒの装着される部分から半透過ミラー１３までの光路長が固定された状態で、本体部１０Ｂの全体が組み上げられる。
【００６３】
（１−２−１．半透過ミラー）
ここで、本開示の半透過ミラーの構成例について説明する。半透過ミラーは、例えば、基材層と、基材層の一主面上にある半透過層とを備えている。
【００６４】
図４Ａは、半透過ミラーの断面の一例を示す模式図である。
【００６５】
半透過ミラー１３は、少なくとも基材層１３１と半透過層１３３とが積層された構成とされる。図４Ａに示すように、例えば、基材層１３１の一主面上に半透過層１３３が形成される。
【００６６】
基材層１３１は、半透過層１３３の支持基体である。基材層１３１の形状や大きさは特に制限されないが、基材層１３１の厚さが、なるべく小さいことが好ましい。具体的には、基材層１３１の厚さが、１０μｍ以上１００μｍ以下であることが好ましい。基材層１３１の内部の光路長を小さくすることができ、撮影により得られる画像に関する画質の劣化を低減することができるからである。また、撮像装置を軽量なものとすることができるからである。
【００６７】
基材層１３１は、透明性を有する。基材層１３１は、可視光領域で高い透明性を有していることが好ましい。撮像素子１５の感度特性が、一般に、可視光領域を元にして設計されるからである。ここで、可視光領域（カラーフィルタを含む撮像素子の感度域といってもよい。）とは、４００ｎｍ〜７００ｎｍの波長域を指す。基材層１３１単体の光透明性としては、例えば、ヘイズが０．９以下であることが好ましいが、基材層１３１の一主面上に半透過層１３３が形成された半透過ミラー１３として、所定の透過率および反射率が得られればよい。なお、ヘイズの測定条件はＪＩＳ  Ｋ  ７３６１（ＩＳＯ  １３４６８）、ＪＩＳ  Ｋ  ７１３６（ＩＳＯ  １４７８２）、ＪＩＳ  Ｋ  ７１０５またはＡＳＴＭ  Ｄ  １００３に準拠したものである。以下に、ヘイズの測定装置を示す。
測定装置：ヘイズメーター（日本電色工業株式会社製  ＮＤＨ５０００）
【００６８】
基材層１３１は、その面内方向に関して、光学的に等方であることが好ましい。基材層１３１が、その面内方向に関して光学的異方性を有している場合と比較して、光が入射したときの吸収による光量ロスを低減できるからである。また、波長毎の透過率のバラつきが抑えられ、したがってホワイトバランスの崩れを低減できるからである。さらに、光の振動方向による結像位置のズレの発生を抑制でき、撮影により得られる画像に関する画質（解像度）の劣化を抑制できるからである。
【００６９】
ここで、「光学的に等方である」とは、面内の直交する２方向における屈折率をそれぞれＮｘおよびＮｙとしたときに、ΔＮ＝Ｎｘ−Ｎｙ（ここでは、Ｎｘ＞Ｎｙとする。）の値が、０．０１未満であることをいう。ΔＮは、試料に単一波長光束を入射させ、透過光の位相差を測定することにより、（位相差）＝（試料の厚さ）×ΔＮの関係を用いて求められる。なお、本明細書にいう「光学的に等方である」とは、光学的に厳密な等方性だけでなく、製造誤差や測定誤差(評価誤差)に起因した若干の異方性をも含むものとする。以下に、位相差の測定装置を示す。
測定装置：位相差測定装置（王子計測機器株式会社製  ＫＯＢＲＡ）
【００７０】
なお、基材層１３１を構成する材料として、ΔＮが０．０１以上の材料を使用してもよい。この場合、位相差の測定値が３００ｎｍ以下であることが好ましい。位相差が３００ｎｍ以下であれば、撮影により得られる画像に関する画質の劣化に与える影響が小さいからである。
【００７１】
基材層１３１の材料としては、例えば、ポリカーボネート（Polycarbonate（ＰＣ））、シクロオレフィンポリマ（Cycloolefin Polymer（ＣＯＰ））、ポリエチレンテレフタレート（Polyethyleneterephtalate（ＰＥＴ））、ポリエーテルスルフォン（Polyethersulphone（ＰＥＳ））、ポリエチレンナフタレート（Polyethylenenaphthalate（ＰＥＮ））、トリアセチルセルロース（Triacetylcellulose（ＴＡＣ））、ポリイミド（Polyimide）、アラミド（Aramid（芳香族ポリアミド））などが挙げられる。基材層１３１の材料として、ガラスなどを使用してもよい。光学的に等方であるという観点からは、基材層１３１の材料として、非晶性プラスチックであるポリカーボネート、ポリイミドまたはシクロオレフィンポリマが好ましい。または、基材層１３１の材料として、ガラスが選択されることが好ましい。
【００７２】
基材層１３１の材料としては、可視光領域内で透明であり、目標とする光透明性を有する材料を選択すればよい。したがって、基材層１３１として、例えば、アクリル系の樹脂の付いたフィルムが使用されてもよい。
【００７３】
基材層１３１の一主面上には、半透過層１３３が形成される。半透過層１３３は、好適には、基材層１３１の両主面のうち、被写体光の入射する側の主面上に形成される。
【００７４】
半透過層１３３は、半透過ミラー１３が所定の反射率および透過率を有するようにするために設けられる。例えば、半透過ミラー１３が、可視光領域で反射率３０±１０％(透過率７０±１０％)の反射特性(光透過特性)を有するように、半透過層１３３の設計がなされる。
【００７５】
半透過層１３３は、例えば、高屈折率材料および低屈折率材料の積層体である。高屈折率材料からなる層（以下、高屈折率層と称する。）および低屈折率材料からなる層（以下、低屈折率層と称する。）を交互に積層することにより、半透過層１３３を得ることができる。高屈折率層を構成する高屈折率材料は、屈折率２．０以上（例えば２．０〜２．５）の材料である。低屈折率層を構成する低屈折率材料は、屈折率１．６未満の材料である。
【００７６】
高屈折率層としては、金属酸化物を使用することができる。高屈折率層が、例えば、Ｉｎ2Ｏ3、ＳｎＯ2、ＺｎＯ、ＩＴＯのいずれかもしくはこれらの合金、またはＺｎＯにＡｌもしくはＧａをドープした透明導電性材料からなることが好ましい。または、高屈折率層が、ＴｉＯ2、Ｎｂ2Ｏ5、ＺｒＯ2、Ｔａ2Ｏ5のいずれかからなることが好ましい。低屈折率材料としては、例えば、ＭｇＦ2、ＡｌＦ3、ＳｉＯ2が好ましい。
【００７７】
基材層１３１の一主面上に半透過層１３３を形成する方法としては、蒸着法、スパッタ法、化学気相成長（Chemical Vapor Deposition（ＣＶＤ））のようなドライプロセスを適用することができる。高屈折率層および低屈折率層の積層体の各層を構成する材料および厚さを適宜に設定することにより、所望の反射率(透過率)を有する半透過層１３３を得ることができる。
【００７８】
上述した例では、基材層１３１の一主面上に半透過層１３３が形成されることにより半透過ミラー１３が構成される例を示したが、半透過ミラー１３が、赤外線カットフィルタや反射防止層などをさらに備えていてもよい。このとき、基材層１３１の両主面のうち、半透過層１３３の形成されない側の主面上に反射防止層が形成されることが好ましい。
【００７９】
基材層１３１の両主面のうち、半透過層１３３の形成されない側の主面上に反射防止層が形成されることにより、半透過ミラー１３の内部での多重反射が抑制される。半透過ミラー１３の内部での多重反射が抑制されることにより、撮影により得られる画像への、本来は存在しない像の写りこみを抑制することができる。
【００８０】
さらに、基材層１３１の両主面のうち、半透過層１３３の形成されない側の主面上に反射防止層が形成されることにより、基材層１３１に対して半透過層１３３が形成されることによる膜応力が緩和され、半透過ミラー１３の反りが低減される。これは、半透過層１３３による膜応力と、反射防止層による膜応力とが相殺されるからであると考えられる。なお、ここでいう「反り」とは、一次元的な曲がりのほか、二次元的な歪みも含むものとする。
【００８１】
図４Ｂおよび図４Ｃは、半透過ミラーの反りが、半透過ミラーにより反射された光の進行方向に対して与える影響を示す概略図である。
【００８２】
図４Ｂおよび図４Ｃは、撮像装置の上下方向を含む面による半透過ミラーの断面を模式的に示している。図４Ｂに示すように、半透過ミラー１３ｐが平板状であるとした場合に、半透過ミラー１３ｐにたてた法線ＮＡに対して−αの角度で被写体光が入射したとする。このときの反射光の進行方向は、法線ＮＡに対してαの角度をなす。
【００８３】
図４Ｃに示すように、半透過ミラー１３ｗに大きな反りが存在し、半透過ミラー１３ｗの断面が弓状であるとする。また、被写体光が入射する接平面にたてた法線ＮＢが、法線ＮＡと−βの角度をなすとする。このときの反射光は、図４Ｂに示す反射光に対して−２βの角度だけずれた方向へ進行する。図４Ｃにおいては、半透過ミラー１３ｗが、光入射側に対して凸の場合を示したが、光出射側に対して凸となっている場合も同様である。
【００８４】
このように、半透過ミラーの反りが大きいと、半透過ミラーの反りが、半透過ミラーにより反射される光の進行方向に大きな影響を与えてしまう。
【００８５】
例えば、画像生成部１１および撮像素子１５の配置が、互いに入れ替えられたとする。この場合は、被写体光のうち、半透過ミラー１３に反射された光により撮像が行われることになる。
【００８６】
そうすると、半透過ミラー１３を透過した光により撮像が行われる場合と比較して、被写体に関する像の結像位置がずれ、撮影により得られる画像に関する画質が劣化してしまう。特に、撮像部７５に撮像素子１５が配置される場合、撮像により得られる画像データがコンピュータなどによる拡大の容易な電子データであるため、ユーザにとって、結像位置のずれが問題となりやすい。
【００８７】
そこで、本開示では、被写体光の光軸ＯＡにそってほぼ一列に並ぶように、１以上のレンズ７３１、半透過ミラー１３および撮像素子１５を配置している。言い換えれば、本開示では、１以上のレンズ７３１、半透過ミラー１３および画像生成部１１が、被写体光の光軸ＯＡにそってほぼ一列に並ぶような配置とはされていない。被写体光のうち、半透過ミラー１３を透過した光を撮像素子１５に入射させて撮像を行うことにより、半透過ミラーの反りに起因する、撮影により得られる画像に関する画質の劣化を抑制することができる。
【００８８】
一方、半透過ミラーに反りがある場合、画像生成部１１から出射されて半透過ミラーにより反射される光の進行方向に多少のずれは生じるが、スクリーンなどに映し出される映像に対して半透過ミラーの反りの与える影響は小さい。これは、スクリーンなどに映し出される映像のずれがユーザに与える印象は、画像データをコンピュータの画面上に表示させる場合と比較して、相対的に小さいからである。
【００８９】
そのため、半透過ミラーの反りが撮影に与える影響と比較して、半透過ミラーの反りが投射用画像の投射に与える影響は小さいということができる。すなわち、投射用画像の投射に、半透過ミラー１３により反射された光を使用することに問題はない。
【００９０】
また、撮影時において、半透過ミラー１３により反射された光をオートフォーカスに利用する場合、半透過ミラー１３の平面性が向上することにより、反射角度の精度が増し、撮像装置１０におけるオートフォーカスの性能が向上する。
【００９１】
［１−３．撮像装置における処理の一例］
本開示では、画像生成部１１が１以上の光源１１５を備えている。１以上の光源１１５から出射される光が撮影に影響を与えないよう、画像生成部１１の１以上の光源１１５が、撮影時に点灯されないことが好ましい。
【００９２】
図５は、本開示の撮像装置におけるモード切り替え処理の一例を示すフローチャートである。
【００９３】
例えば、撮像装置１０が、被写体に関する画像信号を取得するためのカメラモードと、投射用画像を投射するためのプロジェクタモードを備えているとする。これらの２つのモードは、例えば、ユーザによる操作部７７の操作により、相互に切り替えが可能とされている。図５を参照して以下に説明する一連の処理は、例えば、上述した制御部１９により実行される。
【００９４】
まず、ステップＳｔ１１において、モードを切り替えるための入力があったか否かが判定される。モードを切り替えるための入力がない場合には、処理が戻され、一方、モードを切り替えるための入力があった場合には、処理はステップＳｔ１２に進められる。
【００９５】
次に、ステップＳｔ１２において、ユーザにより、いずれのモードが選択されたかが判定される。ユーザにより、カメラモードへの切り替えが選択された場合には、処理はステップＳｔ１３に進められ、ステップＳｔ１３において、画像生成部１１の１以上の光源１１５がオンとされているか否かが判定される。１以上の光源１１５がオンの場合には、処理がステップＳｔ１４に進められ、１以上の光源１１５がオフとされる。１以上の光源１１５がオフであった場合には、処理は終了される。
【００９６】
一方、ユーザにより、プロジェクタモードへの切り替えが選択された場合には、処理はステップＳｔ１５に進められ、ステップＳｔ１５において、画像生成部１１の１以上の光源１１５がオンとされているか否かが判定される。１以上の光源１１５がオフの場合には、処理がステップＳｔ１６に進められ、１以上の光源１１５がオンとされる。１以上の光源１１５がオンであった場合には、処理は終了される。
【００９７】
このように、ユーザによるモードの選択に応じて、画像生成部１１の１以上の光源１１５のオン／オフが自動的に制御されるようにしてもよい。なお、ユーザがプロジェクタモードを選択したときに、表示部１７の表示をオフとしたり、撮像素子１５の前面に配置されるフォーカルプレーンシャッタにより、撮像素子１５への光入射を遮断したりしてもよい。このようにすることで、プロジェクタモード時において、不要な画像が表示部１７に表示されることを防止できる。また、ユーザによるモードの選択に応じて、画像生成部１１の１以上の光源１１５や表示部１７の表示のオン／オフを制御することにより、撮像装置１０を動作させるための電力の余分な消費を抑えることができる。
【００９８】
［１−４．効果］
本開示では、固定の半透過ミラーを介して撮影および投射が行われるので、撮影のための結像光学系と、投射のための結像光学系とを別個に設ける必要がない。
【００９９】
一方、撮影のための結像光学系と、投射のための結像光学系とを撮像装置の内部に別個に設ける従来の手法では、２つの光学系が独立しているため、部品点数が増加してしまう。また、撮影の機能および投射の機能がそれぞれ独立しているため、２つの光学系の配置を工夫しても、撮影および投射に共通して、結像のためのレンズを使用することはきわめて困難である。したがって、独立した２つの光学系を設ける従来の手法では、撮像装置にプロジェクタとしての機能を付加しようとすると、撮像装置が大型の撮像装置となってしまう。
【０１００】
これに対して、本開示では、半透過ミラーを介して撮影および投射が行われるため、これまでに知られたペリクルミラー搭載型のカメラのサイズを大幅に変更することなく、撮像装置に対してプロジェクタとしての機能を付加することができる。
【０１０１】
また、半透過ミラーは、積層構造とされた半透過層の各層の材料および厚さを適宜に設定することにより、撮像素子や画像生成部の仕様にあわせて、入射する光に対する反射率や透過率を適宜にチューニングすることができる。例えば、撮影時における、撮像素子に入射する光の光量を確保しながら、投射用画像の投射時において、スクリーンなどからの輝度を十分に確保することができる。したがって、本開示によれば、撮像装置の設計の自由度が向上される。
【０１０２】
さらに、半透過ミラーは、プリズムなどを使用する場合と比較して、軽量かつ薄く構成することができる。そのため、被写体光のうち、半透過ミラーの透過光を撮像素子に入射させるようにすることで、半透過ミラー内部の光路長を小さくでき、撮影により得られる画質の劣化を抑制することができる。
【０１０３】
本開示の第一の実施形態では、半透過ミラーが、本体部の筺体の内部に固定されている。そのため、撮影および投射の切り替えにおいて機械的に動作する部分がなく、撮像装置の内部でのダストの発生もない。また、半透過ミラーを動かすための機構が不要なため、プロジェクタとしての機能を備える撮像装置を小型の撮像装置とすることができる。
【０１０４】
本開示では、撮影および投射において、レンズユニットが共通して使用される。したがって、本開示では、撮影に使用されるレンズユニットと、投射に使用されるレンズユニットとを別個に設ける必要がない。さらに、本開示によれば、ユーザは、単焦点レンズや広角レンズ、望遠レンズなど、多様なレンズユニットの中から、撮影または投射に最適なレンズユニットを選択することができる。
【０１０５】
このように、本開示では、カメラモードおよびプロジェクタモードの２つのモードで、半透過ミラーを含む結像光学系が共通とされる。そのため、撮影のための結像光学系と、投射のための結像光学系とを別個に設ける場合と比較して、部品点数を削減でき、プロジェクタとしての機能を備える撮像装置の製造コストを抑えることができる。したがって、本開示によれば、撮影などにより得られた画像を投射して、多人数により画像を鑑賞することのできる、小型かつ携帯性に優れた撮像装置を提供することができる。
【０１０６】
＜２．第２の実施形態＞
［２−１．撮像装置の概略的構成］
図６Ａは、第２の実施形態にかかる撮像装置の構成例を示す概略図である。図６Ｂは、図６Ａに示す撮像装置にプロジェクタユニットが接続された状態を示す概略図である。図６Ａおよび図６Ｂは、第２の実施形態にかかる撮像装置を右側面から見た図に対応する。
【０１０７】
以下では、第１の実施形態と本質的に同様の構成を備える部分には、第１の実施形態と同様の参照符号を付す。
【０１０８】
第２の実施形態にかかる撮像装置２０は、半透過ミラー１３と、撮像素子１５とを備える点で、第１の実施形態にかかる撮像装置１０と共通する。第２の実施形態では、撮像装置２０が連結部２３を備え、投射用画像を生成するプロジェクタユニットの連結部２３に対する着脱が自在とされる点で、第１の実施形態と異なっている。なお、図６Ａおよび図６Ｂでは、連結部２３を破線により示している。図６Ｂでは、連結部２３に接続されたプロジェクタユニット２１を網掛けにより示している。
【０１０９】
図６Ｂに示すように、例えば、撮像装置２０の本体部２０Ｂに対してプロジェクタユニット２１が接続された状態においては、レンズユニット２０Ｒの１以上のレンズ７３１、半透過ミラー１３および撮像素子１５が、被写体光の光軸ＯＡにそってほぼ一列に並んでいる。さらに、半透過ミラー１３が、被写体光の光軸ＯＡに対して、例えば４５°程度傾けられて本体部２０Ｂの筺体２００に固定されている場合、プロジェクタユニット２１、半透過ミラー１３および撮像素子１５を順に結ぶと、ほぼ直角となる。
【０１１０】
すなわち、第２の実施形態にかかる撮像装置２０では、被写体に関する画像信号の取得時においては、撮像素子１５は、被写体光のうち、半透過ミラー１３を透過した光を受光する。一方、撮像装置２０に対してプロジェクタユニット２１が接続された状態においては、プロジェクタユニット２１から出射される光の少なくとも一部が、半透過ミラー１３により反射されて、筺体２００の外部へ向けて出射する。
【０１１１】
第２の実施形態では、撮像装置２０が、プロジェクタユニットとの接続および分離が自在とされる連結部２３を備えている。第２の実施形態では、固定の半透過ミラー１３を介して撮影および投射が行われるため、第１の実施形態の場合と同様に、撮像装置２０をプロジェクタとしても機能させることができる。
【０１１２】
（２−１−１．連結部）
連結部２３は、後述するプロジェクタユニット２１との接続機構である。図６Ａに示すように、連結部２３は、例えば、本体部２０Ｂの筺体２００の底面の側に設けられる。
【０１１３】
連結部２３が設けられることに対応して、図６Ａに示すように、本体部２０Ｂの底面には、例えば、開口ＡＰが形成されるとともに、本体部２０Ｂの筺体２００内部には、開口ＡＰから光路切り替え器８３または半透過ミラー１３に至る空間Ｓが設けられる。なお、本体部２０Ｂの筺体２００の底面には、開口ＡＰを介しての筺体２００内部へのダストの侵入を防止するための蓋部２５が設けられる。蓋部２５を開放した状態において、例えば、ユーザは、開口ＡＰを介して、光路切り替え器８３を視認することができる。または、例えば、ユーザは、開口ＡＰを介して、本体部２０Ｂの筺体２００内部に固定された半透過ミラー１３を視認することができる。
【０１１４】
本例では、図６Ａおよび図６Ｂに示すように、筺体２００内部に設けられた空間Ｓが、プロジェクタユニットを挿入するためのスロットとなっている。撮像装置２０の本体部２０Ｂに対してプロジェクタユニット２１が接続された状態では、図６Ｂにおいて矢印により示すように、プロジェクタユニット２１から出射される、投射用画像に関する光は、空間Ｓを介して半透過ミラー１３に入射する。
【０１１５】
プロジェクタユニット２１の筺体２１０には、例えば、プロジェクタユニット２１の筺体２１０を撮像装置２０の本体部２０Ｂに対して固定するためのボスや爪部などが設けられる。したがって、本体部２０Ｂの筺体２００には、プロジェクタユニット２１の筺体２１０のボスや爪部に対応した凹部などが設けられる。プロジェクタユニット２１の筺体２１０のボスや爪部が、本体部２０Ｂの筺体２００の凹部にはめ合わされることにより、空間Ｓに挿入されるプロジェクタユニット２１が本体部２０Ｂに固定され、連結部２３にプロジェクタユニット２１が接続される。
【０１１６】
また、連結部２３には、制御部１９との通信を行うためのコネクタが設けられるとともに、必要に応じて、本体部２０Ｂの電源から電力を供給するためのコネクタが設けられる。プロジェクタユニット２１は、例えば、これらのコネクタを介して、制御部１９と信号や画像データなどをやりとりする。
【０１１７】
（２−１−２．プロジェクタユニット）
プロジェクタユニット２１は、撮像装置２０に対して、プロジェクタとしての機能を付加するための補助装置である。プロジェクタユニット２１は、上述した画像生成部１１と同様に、スクリーンや壁面の上で再生するための投射用画像を生成する。
【０１１８】
図７Ａは、図６Ｂに示すプロジェクタユニットの構成例を示す概略図である。
【０１１９】
プロジェクタユニット２１の筺体２１０は、例えば、全体としてほぼ直方体形状やほぼ円筒形状とされ、プロジェクタユニット２１は、例えば、筺体２１０の内部に、上述した画像生成部１１と同様の構成を備えている。
【０１２０】
すなわち、プロジェクタユニット２１は、図７Ａに示すように、１以上の光源１１５を備え、必要に応じて、１以上のレンズ１１１をさらに備えている。なお、図７Ａに示すように、プロジェクタユニット２１が電源２１７を備えることにより、該電源から供給される電力によりプロジェクタユニット２１が動作するようにしてもかまわないし、プロジェクタユニット２１の電源２１７が、撮像装置２０の補助電源として使用されてもかまわない。
【０１２１】
また、プロジェクタユニット２１は、１以上の液晶ディスプレイや「ＤＬＰ（登録商標）」チップなどを備える画像情報重畳部２１３ａを備えている。図７Ａでは、画像情報重畳部２１３ａが、ミラーＭ、プリズムＰおよび「ＤＬＰ（登録商標）」チップＣなどから構成される例を示した。例えば、１以上の光源１１５と、１以上のレンズ１１１との間に画像情報重畳部２１３ａを介在させることにより、１以上の光源１１５から出射される光に対して投射用画像に関する画像情報が重畳され、投射用画像に関する画像情報の重畳された光が、プロジェクタユニット２１から出射される。
【０１２２】
プロジェクタユニット２１から出射される光は、撮像装置２０の本体部２０Ｂの筺体２００内部に固定された半透過ミラー１３に入射させられる。プロジェクタユニット２１により生成されて出射される、投射用画像に関する光の少なくとも一部は、撮像装置２０の本体部２０Ｂの筺体２００内部に固定された半透過ミラー１３により反射され、レンズユニット２０Ｒの１以上のレンズ７３１を介して筺体２００の外部へ向けて出射される。筺体２００の外部に向けて出射された光が、例えば、スクリーン上に結像されることにより、第１の実施形態の場合と同様に、ユーザは、投射用画像を観賞することができる。
【０１２３】
図７Ｂは、プロジェクタユニットの他の構成例を示す概略図である。図７Ｂは、第２の実施形態にかかる撮像装置に接続されたプロジェクタユニットを、撮像装置の正面から見た図に対応する。
【０１２４】
図７Ｂに示すように、投射用画像に関する光を、プロジェクタユニット２７の筺体２７０内部に配置された反射部材に反射させてから、半透過ミラー１３に入射させるようにしてもよい。例えば、図７Ｂに示すように、１以上の光源１１５から出射され、撮像装置を正面から見たときの左右方向にそって進行する光を、例えば、画像情報重畳部２１３ｂの反射型の液晶ディスプレイＬなどにより反射させて、半透過ミラー１３に向かわせるようにしてもよい。
【０１２５】
この場合、１以上の光源１１５から出射される光を、撮像装置を正面から見たときの左右方向にそって進行させてから半透過ミラー１３に向かわせることができるので、撮像装置の上下方向に関するプロジェクタユニット２７の厚さを小さくすることができる。したがって、プロジェクタユニットの筺体内部に反射型の液晶ディスプレイやミラーなどの反射部材を配置して光路を曲げることにより、プロジェクタユニットの装着された撮像装置の見た目を、一体感を損なわないデザインとすることができる。また、このとき、撮像装置の本体部の筺体の内部に大きな空間を設けておく必要もない。
【０１２６】
［２−２．撮像装置における処理の一例］
第２の実施形態では、撮像装置に対するプロジェクタユニットの着脱が自在とされている。したがって、ユーザが撮影のみを楽しみたいときには、ユーザは、撮像装置からプロジェクタユニットを取り外して、撮像装置を持ち運ぶことができる。言い換えれば、第２の実施形態によれば、撮像装置を、軽量かつ携帯性に優れた撮像装置とすることができる。もちろん、撮像装置にプロジェクタユニットが装着された状態であっても、ユーザは、撮像装置を使用して撮影を行うことができる。
【０１２７】
ところで、ユーザが撮像装置にプロジェクタユニットを接続する場合、ユーザが、撮影などにより得られた画像を投射しようとしていると考えられる。特に、ユーザが撮像装置により撮影を行った後、撮像装置の電源がオフとされることなく、撮像装置にプロジェクタユニットが接続される場合、ユーザが、撮影などにより得られた画像を投射しようとしている可能性がきわめて高いといえる。
【０１２８】
図８は、第２の実施形態にかかる撮像装置における処理の一例を示すフローチャートである。
【０１２９】
例えば、撮像装置２０が、カメラモードおよびプロジェクタモードの２つのモードを備えているとする。撮像装置２０にプロジェクタユニットが接続されることにより、撮像装置の表示部１７に表示される画面を、モードを切り替えるための設定画面などに遷移させるようにしておいてもよい。図８を参照して以下に説明する一連の処理は、例えば、制御部１９により実行される。
【０１３０】
いま、例えば、撮像装置２０の電源がオンであるとする。
【０１３１】
まず、ステップＳｔ２１において、撮像装置２０に対してプロジェクタユニット２１が装着されたか否かが判定される。撮像装置２０に対するプロジェクタユニット２１の装着は、例えば、電気的にまたは磁気的に検出される。もちろん、撮像装置２０に対するプロジェクタユニット２１の装着の検出が、機械的方法により行われてもよい。
【０１３２】
撮像装置２０に対してプロジェクタユニット２１が装着されない場合には、処理が戻される。一方、撮像装置２０に対してプロジェクタユニット２１が装着されたと判定された場合には、処理はステップＳｔ２２に進められる。
【０１３３】
次に、ステップＳｔ２２において、撮像装置２０がカメラモードであるか否かが判定される。撮像装置２０がカメラモードのまま、撮像装置２０の電源がオンの状態で撮像装置２０にプロジェクタユニット２１が装着された場合、ユーザが投射用画像の投射を行おうとしていると判断され、処理がステップＳｔ２３に進められる。一方、撮像装置２０がカメラモードでない場合、撮像装置２０がプロジェクタモードであるから、処理は終了される。
【０１３４】
次に、ステップＳｔ２３において、表示部１７に表示される画面が、撮像装置２０がプロジェクタモードに切り替えられてもよいかをユーザに確認させるための画面に遷移される。
【０１３５】
図９は、撮像装置がプロジェクタモードに切り替えられてもよいかをユーザに確認させるための画面の一例を示す画像図である。
【０１３６】
図９では、プロジェクタモードへの切り替えを認める場合に選択されるアイコンＫ１と、プロジェクタモードへの切り替えをキャンセルしたい場合に選択されるアイコンＫ２とが表示される画像の例を示した。ステップＳｔ２３において、撮像装置２０をプロジェクタモードに強制的に切り替えるようにしてもよいが、本例のように、プロジェクタモードへの強制的な移行をユーザがキャンセルできるようにすることで、ユーザの利便性が向上される。
【０１３７】
ステップＳｔ２３において、撮像装置２０がプロジェクタモードに切り替えられてもよいかをユーザに確認させるための画面が表示部１７に表示された後、処理はステップＳｔ２４に進められる。
【０１３８】
次に、ステップＳｔ２４において、ユーザがプロジェクタモードへの移行をキャンセルしたか否かが判定される。具体的には、ユーザがアイコンＫ２を選択した場合、ユーザが撮影を継続したがっているということを意味するから、処理は終了される。一方、ユーザがアイコンＫ１を選択した場合には、処理はステップＳｔ２５に進められる。
【０１３９】
次に、ステップＳｔ２５において、撮像装置２０がプロジェクタモードに移行される。具体的には、例えば、撮像素子１５の前面に配置されるフォーカルプレーンシャッタにより、撮像素子１５への光入射が遮断される。または、例えば、プロジェクタユニット２１に配置される１以上の光源１１５が点灯される。
【０１４０】
次に、ステップＳｔ２６において、記憶部８１に保存された画像データの読み出しが行われるとともに、制御部１９からのプロジェクタユニット２１に対する画像データの転送が開始される。
【０１４１】
次に、ステップＳｔ２７において、例えば、表示部１７に画像データがサムネイル表示され、一連の処理が終了される。または、ステップＳｔ２７において、例えば、画像データのサムネイルをスクリーンに投射させるようにしてもよい。
【０１４２】
このとき、ステップＳｔ２７において、複数の画像データから、直近に取得された画像データを抽出して時系列で画像データを表示させたり、再生回数の多い画像データを優先して表示させたりしてもよい。ユーザが投射する可能性の高い画像を表示部１７に優先的に表示させることで、ユーザの利便性が向上される。
【０１４３】
なお、上述した処理では、ステップＳｔ２３およびステップＳｔ２４において、撮像装置２０をプロジェクタモードに移行してよいか否かをユーザに確認する例を示したが、撮像装置２０におけるモード切り替えのための処理は、この例に限られない。例えば、撮像装置２０にプロジェクタユニット２１が装着されることによる、プロジェクタモードへの自動的な移行がユーザによりあらかじめ許可されている場合には、ユーザによる設定の読み込みにより、ステップＳｔ２３およびＳｔ２４をスキップさせてもよい。
【０１４４】
また、例えば、撮像装置２０に対するプロジェクタユニット２１の装着が検出されたときや、ユーザによるプロジェクタモードへの切り替えの指示が入力されたときに、プロジェクタユニット２１への画像データの転送が開始されるようにしてもよい。このようにすることで、ユーザは、スクリーンなどに投射用画像をすぐに映し出させることができる。
【０１４５】
［２−３．効果］
第１の実施形態と同様に、第２の実施形態では、カメラモードおよびプロジェクタモードの２つのモードで、半透過ミラーを含む結像光学系が共通とされる。そのため、第２の実施形態によれば、第１の実施形態と同様の効果を得ることができる。さらに、第２の実施形態では、連結部により、撮像装置に対してプロジェクタユニットが着脱自在とされるため、既存の撮像装置の構成に大幅な変更を加えることなく、撮像装置をプロジェクタとしても機能させることができる。
【０１４６】
＜３．第３の実施形態＞
［３−１．撮像装置の概略的構成］
図１０Ａは、第３の実施形態にかかる撮像装置の構成例を示す概略図である。図１０Ｂは、撮像装置の本体部とレンズユニットとの間にプロジェクタユニットが装着された状態を示す概略図である。図１１Ａは、レンズユニット、プロジェクタユニットおよび本体部を分離して示す斜視図である。図１０Ａは、第３の実施形態にかかる撮像装置を、撮像装置の右側面から見た図に対応する。図１０Ｂは、第３の実施形態にかかる撮像装置およびプロジェクタユニットを、撮像装置の右側面から見た図に対応する。
【０１４７】
第３の実施形態にかかる撮像装置３０は、本体部３０Ｂに撮像素子１５を備える点で、第１の実施形態にかかる撮像装置１０と共通する。第３の実施形態では、撮像装置３０が、本体部３０Ｂに対する接続および分離が自在とされるレンズユニット３０Ｒを備え、本体部３０Ｂとレンズユニット３０Ｒとの間への、プロジェクタユニット４０の接続および分離が自在とされる点で、第１の実施形態と異なっている。
【０１４８】
第３の実施形態では、レンズユニット３０Ｒが１以上のレンズ７３１を備えるとともに、プロジェクタユニット４０が半透過ミラー１３を備えている。図１０Ｂに示すように、本体部３０Ｂとレンズユニット３０Ｒとの間にプロジェクタユニット４０が接続された状態においては、レンズユニット３０Ｒ、半透過ミラー１３および撮像素子１５が、被写体光の光軸ＯＡにそってほぼ一列に並ぶ。このとき、半透過ミラー１３が、被写体光の光軸ＯＡに対して、例えば４５°程度傾けられてプロジェクタユニット４０の筺体４００に固定されている場合、プロジェクタユニット４０の画像生成部４１、半透過ミラー１３および撮像素子１５を順に結ぶと、ほぼ直角となる。
【０１４９】
すなわち、第１の実施形態および第２の実施形態の場合と同様に、第３の実施形態にかかる撮像装置３０では、被写体に関する画像信号の取得時においては、撮像素子１５は、被写体光のうち、半透過ミラー１３を透過した光を受光する。また、撮像装置３０に対してプロジェクタユニット４０が接続された状態においては、プロジェクタユニット４０の画像生成部４１から出射される光の少なくとも一部が、半透過ミラー１３により反射されて、プロジェクタユニット４０の筺体４００の外部へ向けて出射する。
【０１５０】
第３の実施形態では、本体部３０Ｂとレンズユニット３０Ｒとの間への、半透過ミラー１３を備えるプロジェクタユニット４０の接続および分離が、自在とされる。第３の実施形態においても、固定の半透過ミラー１３を介して撮影および投射が行われるため、第１の実施形態および第２の実施形態の場合と同様に、撮像装置をプロジェクタとしても機能させることができる。言い換えれば、第３の実施形態によれば、撮像素子の前面にミラー（半透過ミラーのほか、可動式のミラーを含む。）の配置されない撮像装置に対しても、プロジェクタとしての機能を付加することができる。
【０１５１】
（３−１−１．撮像装置）
図１０Ａに示すように、第３の実施形態にかかる撮像装置３０は、例えば、本体部３０Ｂと、レンズユニット３０Ｒとから構成される。したがって、第１の実施形態および第２の実施形態の場合とは異なり、図１０Ａに示す撮像装置３０においては、レンズユニット３０Ｒの１以上のレンズ７３１を通過した光が、半透過ミラーを介することなく、撮像素子１５に入射する。
【０１５２】
このように、図１０Ａに示す撮像装置３０は、本体部３０Ｂの筺体３００の内部に跳ね上げ式のミラーや半透過ミラーなどを備えない撮像装置であり、具体的には、いわゆる“ミラーレス一眼カメラ”などと呼ばれるデジタルカメラである。ミラーレス一眼カメラは、小型でユーザが気軽に撮影を行うことのできるコンパクトカメラの長所と、シーンにあわせてレンズユニットを交換でき、多彩な表現の可能な一眼レフレックスカメラの長所とを備えている。
【０１５３】
上述したように、レンズユニット３０Ｒは、本体部３０Ｂに対する接続および分離が自在とされている。そこで、第３の実施形態では、ユーザがスクリーンなどに画像データを映し出すときに、本体部３０Ｂとレンズユニット３０Ｒとの間に、プロジェクタユニット４０が接続させられる。なお、本体部３０Ｂとプロジェクタユニット４０との間には、必要に応じて電気接点３０ｅが設けられる。同様に、プロジェクタユニット４０とレンズユニット３０Ｒとの間には、必要に応じて電気接点３０ｆが設けられる。
【０１５４】
（３−１−２．プロジェクタユニット）
図１１Ｂは、本体部とレンズユニットとの間に接続されるプロジェクタユニットの構成例を示す概略図である。図１１Ｂは、第３の実施形態にかかる撮像装置にプロジェクタユニットが接続された状態において、撮像装置の右側面からプロジェクタユニットを見た図に対応する。
【０１５５】
図１１Ｂに示すように、プロジェクタユニット４０は、筺体４００と、半透過ミラー１３と、画像生成部４１とを備える。
【０１５６】
プロジェクタユニット４０の筺体４００のうち、撮像装置３０のレンズユニット３０Ｒと接続される側の面には、開口ＡＰ１が設けられており、開口ＡＰ１の周縁には、レンズユニット３０Ｒとの接続および分離を自在とするための接続機構ＣＭ１が設けられている。以下では、開口ＡＰ１および接続機構ＣＭ１の組を第１の連結部Ｃ１と適宜称する。
【０１５７】
一方、プロジェクタユニット４０の筺体４００のうち、撮像装置３０の本体部３０Ｂと接続される側の面には、開口ＡＰ２が設けられており、開口ＡＰ２の周縁には、本体部３０Ｂとの接続および分離を自在とするための接続機構ＣＭ２が設けられている。以下では、開口ＡＰ２および接続機構ＣＭ２の組を第２の連結部Ｃ２と適宜称する。
【０１５８】
図１１Ｂに示すように、半透過ミラー１３は、プロジェクタユニット４０の筺体４００内部において、第１の連結部Ｃ１と第２の連結部Ｃ２との間に配置される。ユーザは、第１の連結部Ｃ１または第２の連結部Ｃ２を介して、プロジェクタユニット４０の筺体４００内部に固定された半透過ミラー１３を視認することができる。また、図１１Ｂに示すように、半透過ミラー１３は、被写体光の光軸ＯＡに対して傾けられるようにして、プロジェクタユニット４０の筺体４００の内部に固定される。
【０１５９】
プロジェクタユニット４０の筺体４００の内部に配置される画像生成部４１は、上述した画像生成部１１と同様の構成を備えている。すなわち、画像生成部４１は、図１１Ｂに示すように、１以上の光源１１５を備え、必要に応じて、１以上のレンズ１１１をさらに備えている。なお、プロジェクタユニット４０に対しては、例えば、第２の連結部Ｃ２を介して、画像生成部４１に制御部１９からの信号や画像データなどが供給される。プロジェクタユニット４０が、筺体４００の内部に電源を備えていてもよい。
【０１６０】
プロジェクタユニット４０の筺体４００の内部には、必要に応じて、オートフォーカスセンサ８５が配置される。オートフォーカスセンサ８５は、具体的には、位相差検出方式のセンサである。
【０１６１】
［３−２．プロジェクタユニットの接続された撮像装置］
本体部３０Ｂとレンズユニット３０Ｒとの間にプロジェクタユニット４０が接続された状態においては、プロジェクタユニット４０の接続された撮像装置は、第１の実施形態にかかる撮像装置１０とほぼ同様の構成を備えている。
【０１６２】
すなわち、被写体に関する画像信号の取得時においては、被写体光の少なくとも一部が半透過ミラー１３に反射されるとともに、残余の光が、半透過ミラー１３を透過する。半透過ミラー１３からの透過光は、撮像素子１５に入射し、したがって、撮像素子１５は、被写体に関する画像信号を出力する。
【０１６３】
一方、半透過ミラー１３により反射された光は、必要に応じて筺体４００の内部に配置される光路切り替え器８３を介して、例えば、半透過ミラー１３に対して筺体４００の下方に配置されるオートフォーカスセンサ８５に導かれる。そのため、本体部３０Ｂとレンズユニット３０Ｒとの間にプロジェクタユニット４０が接続された状態においては、ユーザは、位相差検出方式によるオートフォーカスを撮像装置に行わせることができる。
【０１６４】
図１０Ａに示す撮像装置３０では、半透過ミラーを介することなく被写体光が撮像素子１５に入射する。そのため、撮像装置３０においては、一般的には、撮像素子１５に入射する光を利用するコントラスト検出方式により、オートフォーカスが行われる。コントラスト検出方式は、比較的簡易な構成のため安価であり、画角の全体を走査できるアドバンテージを有する反面、レンズを動かしてピント合わせを行うため、ピント合わせに時間がかかるというディスアドバンテージがある。
【０１６５】
そこで、図１１Ｂに示すように、プロジェクタユニット４０の筺体４００の内部に位相差検出方式のオートフォーカスセンサ８５を配置しておくことで、ユーザは、位相差検出方式による高速なオートフォーカスを撮像装置に行わせることが可能となる。すなわち、例えば、撮像素子１５に位相差検出方式のセンサを埋め込んだりすることなく、位相差検出方式による高速なオートフォーカスを撮像装置に行わせることが可能となる。
【０１６６】
また、撮影時の環境にあわせて、位相差検出方式によるオートフォーカスまたはコントラスト検出方式によるオートフォーカスのいずれが使用されるかが切り替えられるようにしてもよい。例えば、制御部１９の制御またはユーザからの入力操作により、オートフォーカスにおける検出方式が、撮影時の環境にあわせた検出方式に切り替えられるようにしてもよい。
【０１６７】
また、半透過ミラー１３は、画像生成部４１から出射される光の少なくとも一部を反射して、反射させた光を筺体４００の外部へ向けて出射させる。すなわち、本例では、画像生成部４１から出射される、投射用画像に関する光は、半透過ミラー１３、第１の連結部Ｃ１およびレンズユニット３０Ｒの１以上のレンズ７３１を介して、撮像装置の外部に向けて出射される。筺体４００の外部に向けて出射された光が、例えば、スクリーン上に結像されることにより、第１の実施形態および第２の実施形態の場合と同様に、ユーザは、投射用画像を観賞することができる。
【０１６８】
（３−２−１．第１および第２の連結部の規格）
ところで、撮像装置の本体部と、レンズユニットとを接続するための機構は、“マウント”と呼ばれる。マウントには、多数の規格が存在している。そのため、レンズユニット側のマウントの規格と、本体部側のマウントの規格とが異なっていると、ユーザは、本体部に対してレンズユニットを接続できない。
【０１６９】
しかしながら、例えば、ユーザの所有する撮像装置の本体部のマウントとは異なる規格のマウントを備えるレンズユニットの種類が豊富な場合がある。そのため、ある規格のマウントを備える本体部に対して、該規格とは異なる規格のマウントを備えるレンズユニットを組み合わせて使用したいというニーズも生じる。
【０１７０】
そこで、プロジェクタユニット４０の筺体４００のうち、撮像装置のレンズユニットと接続される側の面にある接続機構と、プロジェクタユニット４０の筺体４００のうち、撮像装置の本体部と接続される側の面にある接続機構とを、相異なる規格に対応した接続機構としておいてもよい。すなわち、第１の連結部Ｃ１および第２の連結部Ｃ２が、相異なる規格に対応したマウントをそれぞれ備えることにより、プロジェクタユニット４０を、マウントの規格を変換するためのアダプタとすることができる。このように、第３の実施形態によれば、プロジェクタユニットを、マウントの規格を変換するためのアダプタとすることにより、ユーザの幅広いニーズに応えることができる。
【０１７１】
［３−３．撮像装置における制御の一例］
第３の実施形態では、第２の実施形態の場合と同様に、撮像装置に対するプロジェクタユニットの着脱が自在とされている。したがって、ユーザが、本体部３０Ｂとレンズユニット３０Ｒとの間にプロジェクタユニット４０を接続する場合、ユーザが、撮影などにより得られた画像を投射しようとしていると考えられる。
【０１７２】
そこで、図８および図９を参照して説明したように、例えば、本体部３０Ｂにプロジェクタユニット４０が接続されることにより、撮像装置の表示部１７に表示される画面を、遷移させるようにしておいてもよい。すなわち、例えば、ユーザが撮像装置３０により撮影を行った後、撮像装置３０の電源がオフとされることなく、本体部３０Ｂにプロジェクタユニット４０が接続される場合に、モードを切り替えるための設定画面を表示部１７に表示させるようにしてもよい。
【０１７３】
または、例えば、本体部３０Ｂに対するプロジェクタユニット４０の接続が検出されたときや、ユーザによるプロジェクタモードへの切り替えの指示が入力されたときに、プロジェクタユニット４０への画像データの転送が開始されるようにしてもよい。
【０１７４】
［３−４．効果］
第３の実施形態では、第１の実施形態および第２の実施形態と同様に、カメラモードおよびプロジェクタモードの２つのモードで、レンズユニットの１以上のレンズおよび半透過ミラーが共通とされる。そのため、第３の実施形態によれば、第１の実施形態または第２の実施形態と同様の効果を得ることができる。
【０１７５】
また、第３の実施形態によれば、既存のミラーレス一眼カメラの構成に変更を加えることなく、ミラーレス一眼カメラをプロジェクタとしても機能させることができる。さらに、ユーザは、必要に応じて、第３の実施形態にかかる撮像装置を、ミラーレス一眼カメラとして使用したり、ペリクルミラー搭載型のデジタルカメラとして使用したりすることができる。
【０１７６】
第１の連結部Ｃ１および第２の連結部Ｃ２が、相異なる規格に対応したマウントをそれぞれ備える場合には、ユーザは、プロジェクタユニットを、マウントの規格を変換するためのアダプタとして使用することができる。
【０１７７】
以上に説明したように、本開示によれば、半透過ミラーを介して撮影および投射が行われるので、１のレンズユニットにより、撮影および投射を実現することができる。本開示では、１のレンズユニットにより、撮影および投射が実現されるので、部品点数の増加および撮像装置の大型化を抑えながら、撮像装置に対してプロジェクタとしての機能を付加することができる。このように、本開示によれば、小型で携帯性に優れるとともに、１台で撮影および投射の可能な撮像装置を提供でき、撮影により得られた画像を多人数で共有するための簡易な手段を提供することができる。
【０１７８】
＜４．変形例＞
以上、好適な実施形態について説明してきたが、好適な具体例は、上述した例に限定されるものではなく、各種の変形が可能である。
【０１７９】
上述した実施形態では、撮像装置としてデジタルカメラを例示したが、本開示は、この例に限られない。本開示は、例えば、撮像素子を備える電子機器などに適用が可能である。本開示は、例えば、ビデオカメラやスマートフォン、携帯電話、電子書籍、パーソナルコンピュータ（タブレット型、ラップトップ型、デスクトップ型）、携帯情報端末（personal digital assistance（ＰＤＡ））、ビデオゲーム機などにも適用が可能である。
【０１８０】
また、上述した実施形態では、撮像装置が、デジタル方式の撮像装置であるものとして説明したが、撮像部がフィルムであっても、本開示の技術は適用が可能である。
この場合は、撮像装置の外部から供給される画像データから投射用画像が生成される。
【０１８１】
本開示の技術は、静止画の撮影や投射だけでなく、動画の撮影や投射にも適用することが可能である。
【０１８２】
なお、上述の実施形態において挙げた構成、方法、形状、材料および数値などはあくまでも例に過ぎず、必要に応じてこれと異なる構成、方法、形状、材料および数値などを用いてもよい。上述の実施形態の構成、方法、形状、材料および数値などは、本開示の主旨を逸脱しない限り、互いに組み合わせることが可能である。
【０１８３】
例えば、本開示は以下のような構成もとることができる。
（１）
画像生成部と、
前記画像生成部から出射される光の少なくとも一部を反射して筺体の外部へ向けて出射させる半透過ミラーと、
前記筺体の外部から入射する光のうち、前記半透過ミラーを透過した光を受光する撮像素子と
を備える撮像装置。
（２）
１以上のレンズを備えるとともに、前記筺体に対する接続および分離が自在とされるレンズユニットをさらに備え、
前記筺体に対して前記レンズユニットが接続されたときに、前記レンズユニット、前記半透過ミラーおよび前記撮像素子が、ほぼ一列に配置される（１）に記載の撮像装置。
（３）
画像生成装置に対する接続および分離が自在とされる連結部と、
前記画像生成装置から出射される光の少なくとも一部を反射して筺体の外部へ向けて出射させる半透過ミラーと、
前記筺体の外部から入射する光のうち、前記半透過ミラーを透過した光を受光する撮像素子と
を備える撮像装置。
（４）
表示部をさらに備え、
前記連結部に対して前記画像生成装置が接続されたときに、前記表示部に表示される画像が、撮像を無効とするか否かをユーザに選択させるための画像に遷移される（３）に記載の撮像装置。
（５）
電源が切られることなく、被写体に関する画像データの取得と、前記連結部に対する前記画像生成装置の接続とが行われたときに、
前記表示部に表示される画像が、撮像を無効とするか否かをユーザに選択させるための画像に遷移される（４）に記載の撮像装置。
（６）
制御部をさらに備え、
前記連結部に対して前記画像生成装置が接続されたときに、前記制御部が、前記画像生成装置に対する画像データの転送を開始する（３）ないし（５）のいずれか１項に記載の撮像装置。
（７）
撮像素子を備える本体部と、
１以上のレンズを備え、前記本体部に対する接続および分離が自在とされるレンズユニットと
を備え、
前記本体部と前記レンズユニットとの間への、半透過ミラーを備える画像生成装置の接続および分離が自在とされ、
前記本体部と前記レンズユニットとの間に前記画像生成装置が介在された状態において、前記レンズユニット、前記半透過ミラーおよび前記撮像素子が、ほぼ一列に配置される撮像装置。
（８）
第１の連結部および第２の連結部を備える筺体と、
前記第１の連結部と前記第２の連結部との間に配置された半透過ミラーと、
画像生成部と
を備え、
前記画像生成部から出射される光のうち、前記半透過ミラーに反射された光が、前記第１の連結部および前記第２の連結部のうちのいずれかを介して外部に向けて出射されるプロジェクタユニット。
（９）
前記第１の連結部および前記第２の連結部が、相異なる規格に対応した接続機構をそれぞれ備える（８）に記載のプロジェクタユニット。
【符号の説明】
【０１８４】
１０，２０，３０・・・撮像装置
１０Ｒ，２０Ｒ，３０Ｒ・・・レンズユニット
１１・・・画像生成部
１３・・・半透過ミラー
１５・・・撮像素子
１７・・・表示部
１９・・・制御部
２１，２７・・・プロジェクタユニット
２３・・・連結部
４０・・・プロジェクタユニット
４１・・・画像生成部
７３・・・結像光学系
８５・・・オートフォーカスセンサ
１００，２００，３００・・・筺体（撮像装置）
４００・・・筺体（プロジェクタユニット）
１１５・・・光源
７３１・・・レンズ
Ｃ１・・・第１の連結部
Ｃ２・・・第２の連結部
【図１】
2013231747.tif 000003
【図２】
2013231747.tif 000004
【図３】
2013231747.tif 000005
【図４】
2013231747.tif 000006
【図５】
2013231747.tif 000007
【図６】
2013231747.tif 000008
【図７】
2013231747.tif 000009
【図８】
2013231747.tif 000010
【図９】
2013231747.tif 000011
【図１０】
2013231747.tif 000012
【図１１】
2013231747.tif 000013